(57)【特許請求の範囲】
【請求項１】
複数の像担持体に形成した複数色のトナー像を一次転写手段により中間転写体に逐次転写して重ね合わせた後、前記中間転写体に担持された前記トナー像を二次転写手段により一括して転写材に転写するカラー画像形成装置において、
前記一次転写手段と前記二次転写手段との中間に、放電電極とグリッド電極とサイドプレートにより構成されたスコロトロン帯電器を有する二次転写前除電手段を配置し、
前記放電電極に前記トナー像と逆極性の電圧を、
前記グリッド電極に前記トナー像と同極性の電圧を、
前記サイドプレートに前記トナー像と逆極性の電圧を、
それぞれ印加するとともに、
グリッド電極の電位Ｖｇの絶対値と、サイドプレートの電位Ｖｓの絶対値とが、｜Ｖｇ｜≦｜Ｖｓ｜であるように構成としたことを特徴とするカラー画像形成装置。
【請求項２】
前記二次転写前除電手段は、前記中間転写体が平面状に支持される位置に配置されていることを特徴とする請求項１に記載のカラー画像形成装置。
【請求項３】
前記中間転写体を挟んで前記スコロトロン帯電器に対向する位置に対向電極を配置したことを特徴とする請求項１又は２に記載のカラー画像形成装置。
【請求項４】
前記対向電極は前記中間転写体に面接触させて配置されていることを特徴とする請求項３に記載のカラー画像形成装置。
【発明の詳細な説明】
【技術分野】
【０００１】
本発明は、複写機、プリンタ、ファクシミリ、及びこれらの機能を有する電子写真方式を用いた画像形成装置に関わり、特に、中間転写体を有し、該中間転写体上に複数のカラートナー像を重ね合わせて画像を形成するカラー画像形成装置に関する。
【背景技術】
【０００２】
中間転写体を用いた電子写真方式のカラー画像形成装置では、感光体である像担持体上に形成したトナー像を中間転写体上に一次転写し、該中間転写体上のトナー像を転写材上に二次転写するものが知られている。かかるカラー画像形成装置では、像担持体上に順次形成された所定極性に帯電しているトナー像を静電気により中間転写体に重ね合わせて転写した後、その中間転写体上のトナー像を静電気により転写材上に一括して転写している。
【０００３】
中間転写体を用いたカラー画像形成装置は、像担持体上に形成したトナー像を中間転写体上に重ね合わせることができるので、カラー画像を転写材上に形成するカラー画像形成装置に広く応用されている。このカラー画像形成装置では、像担持体に形成した各色のトナー像を中間転写体に重ね合わせて転写した後、この重ね合わせトナー像を静電気により転写材に一括転写する。
【０００４】
トナー１粒子当たりの帯電量はほぼ均一であることから、中間転写体上のトナー層電位は所定面積内でのトナー付着量によって決まり、カラー画像形成装置では中間転写体上のトナー像のうち複数色のトナーが重ね合わされた部分の帯電電位は、１色のトナーのみが付着している部分の帯電電位よりも大きくなる。また例えば、中間転写体上のトナー像がベタ部及びハーフトーン部を有する場合、ベタ部の帯電電位はハーフトーン部よりも大きくなる。
【０００５】
また、像担持体から中間転写体へトナー像を転写する一次転写部を通過した後のトナー像内での帯電電位のばらつきは、環境によっても発生する場合がある。
【０００６】
このように中間転写体上のトナー像の電位のばらつきが大きいと、転写特性が互いに異なる部分が同一トナー像内に存在することになる。この転写特性の異なるすべての部分を同じ転写条件下で転写材に転写しようとすると、中間転写体から転写材への二次転写時に様々な画像不良が発生しやすい。
【０００７】
近年、複写機、プリンタ、ファクシミリ、これらの機能を合わせ持つ複合機等の画像形成装置においてカラー化が進み、また重合トナー、小粒径トナーの採用により、転写プロセスにおいても高画質化への要求が大きくなってきている。また、画像形成装置の高速化も進んでいる。これらのことに対し、良好な画像を得るためには、一次転写の回数や環境などによって変化する中間転写体上のトナー電位を略均一になるように補正し、二次転写性能を向上させる必要がある。
【０００８】
特許文献１は、転写材に二次転写する前の中間転写体上のトナー像の帯電を均一化する転写前除電手段を設けたものである。
【０００９】
特許文献２は、二次転写前除電手段によって帯電が均一化された後のトナー像の電位と、二次転写手段の電位との差をほぼ一定の値に保つように、電位差制御手段が二次転写前除電手段の電源及び二次転写手段の電源を制御するものである。
【特許文献１】特開平１０−２７４８９２号公報
【特許文献２】特開平１１−１４３２５５号公報
【発明の開示】
【発明が解決しようとする課題】
【００１０】
このようにカラー画像形成装置により感光体上に担持された各色のトナー像を一次転写手段で中間転写体上に重ね合わせて担持させた後、該トナー像を中間転写体から転写材に二次転写するカラー画像形成装置において、一次転写の回数や環境などによって中間転写体上に形成されたトナー像のトナー帯電量が変化するため、中間転写体から転写材への二次転写処理時に様々な画像形成不良が発生しやすい。
【００１１】
特許文献１及び２に記載のカラー画像形成装置は、二次転写手段の上流側において、スコロトロン帯電器によってトナーの帯電量を補正するものである。すなわち、中間転写体上に一次転写されたトナー像に対してＡＣ、ＤＣなどのコロナ放電を行い、トナー像の帯電量を均一化する技術である。
【００１２】
これらの文献に記載のカラー画像形成装置は、トナーの帯電量の補正においてトナー像をさらに帯電させている。すなわち、マイナス極性のトナー像に対して、さらにマイナス極性の電流による放電を行っている。この方式ではトナー像全体の帯電量が上がるため、トナー像の帯電量のばらつきは相対的に目立たなくなる。
【００１３】
しかし、このようにトナー像全体を帯電させると、二次転写の対象となるトナー像の電位は高くなるため、トナー像の転写により大きな転写バイアスが必要になる。その結果、転写バイアスの制御が難しくなり、トナー像に対する電気的な破壊などの画像不良の問題が生じる。また、転写のための電流が大きくなり、転写効率も悪くなる。
【００１４】
また、予めトナーの電荷量を下げて現像すれば、画像全体の電荷量を低くできるが、その場合、現像部でトナーが飛散する問題が発生する。
【００１５】
これらの問題に対して、本発明者等はトナー像を帯電するのではなく、除電するようなバイアスにより高い電荷量の画像部分の電位を下げ、トナー像全体の電荷量を均一化するプロセスを見出した。
【００１６】
しかし、帯電量を均一化するため、重ね合わせトナー像、即ち、高電位部の総電荷量を低下させると、同時に低電位部（トナー低付着量部）も除電してしまい、ハーフトーン画像荒れ等の画像不良を発生する可能性がある。
【００１７】
例えば単に強い除電を使用すると、高付着量部の除電は得られるが、低付着量部の電位も低下してしまい、放電が弱いと高付着量部を所望の値まで電位低下させる事ができないという事となり、これらを両立させる事が困難であった。これを防止するためにはグリッド電極による制御が必要となる。
【００１８】
一方、二次転写前除電手段で、例えば負電荷を有するトナー層に対して正電位の放電を行い、トナー層電位を低下させた場合、一部のトナー層は逆帯電する。このとき、グリッド電極に負電位を印加してトナー層電位を制御すると、正帯電トナーはグリッド電極と中間転写体の電界によりグリッド電極側に引きつけられ、グリッド電極に付着する。グリッド電極が汚れると、グリッド電極としての機能が低下するため、トナー層電位の制御性が低下し、トナー低付着量部で電位低下が生じ、ハーフトーン画像荒れ等の画像不良が発生する。従って、耐久性の低下により安定した制御性を得る事が困難となる。
【００１９】
本発明は、サイドプレートの電位をグリッド電極の電位と逆極性とし、逆帯電トナーがグリッド電極に付着しにくい電界を形成する事によりグリッド電極のトナー汚れを防止し、グリッド電極の耐久性を向上し、良好な二次転写性能を得る事によって、長期において高品位の二次転写画像を得るカラー画像形成装置を提供することを目的とする。
【課題を解決するための手段】
【００２０】
本発明の目的は、以下のカラー画像形成装置により達成される。
【００２１】
複数の像担持体に形成した複数色のトナー像を一次転写手段により中間転写体に逐次転写して重ね合わせた後、前記中間転写体に担持された前記トナー像を二次転写手段により一括して転写材に転写するカラー画像形成装置において、
前記一次転写手段と前記二次転写手段との中間に、放電電極とグリッド電極とサイドプレートにより構成されたスコロトロン帯電器を有する二次転写前除電手段を配置し、
前記放電電極に前記トナー像と逆極性の電圧を、
前記グリッド電極に前記トナー像と同極性の電圧を、
前記サイドプレートに前記トナー像と逆極性の電圧を、
それぞれ印加するとともに、
グリッド電極の電位Ｖｇの絶対値と、サイドプレートの電位Ｖｓの絶対値とが、｜Ｖｇ｜≦｜Ｖｓ｜であるように構成としたことを特徴とするカラー画像形成装置。
【発明の効果】
【００２２】
本発明のカラー画像形成装置によれば、除電時に発生した逆帯電トナーによるグリッド電極の汚れが防止され、画像ムラがなく、均一な濃度の画像（ハーフトーン画像）が得られる。また、長時間の画像形成においてもこうした効果を得ることができ、耐久性に優れ安定した除電性能を達成することができる。
【００２３】
また、重ね合わせトナー像、即ち、高電位部では、総電荷量を低下させることができ、一方でハーフトーン等のトナー低付着量部では、電位低下を小さく抑える事が可能となる。その結果、カラー画像において、トナー低付着量部分の画像荒れを防止するとともに、重ね合わせトナー像においても良好な二次転写性能を得ることが出来る。
【発明を実施するための最良の形態】
【００２４】
以下に本発明を、実施の形態を用いて説明するが、本発明は以下に説明する実施の形態に限られるものではない。
【００２５】
［カラー画像形成装置］
図１は本発明の実施の形態に係るカラー画像形成装置Ａの全体構成を示す断面図である。
【００２６】
このカラー画像形成装置Ａは、タンデム型カラー画像形成装置と称せられるもので、複数組の画像形成部１０Ｙ，１０Ｍ，１０Ｃ，１０Ｋと、ベルト状の中間転写体７、一次転写手段５Ｙ，５Ｍ，５Ｃ，５Ｋ、二次転写手段８、二次転写前除電手段９、定着装置１１、及び給紙装置２０を有する。
【００２７】
カラー画像形成装置Ａの上部の原稿台上に載置された原稿は、画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００２８】
イエロー（Ｙ）色の画像を形成する画像形成部１０Ｙは、像担持体１Ｙの周囲に配置された帯電手段２Ｙ、露光手段３Ｙ、現像手段４Ｙ及びクリーニング手段６Ｙを有する。
【００２９】
マゼンタ（Ｍ）色の画像を形成する画像形成部１０Ｍは、像担持体１Ｍ、帯電手段２Ｍ、露光手段３Ｍ、現像手段４Ｍ及びクリーニング手段６Ｍを有する。
【００３０】
シアン（Ｃ）色の画像を形成する画像形成部１０Ｃは、像担持体１Ｃ、帯電手段２Ｃ、露光手段３Ｃ、現像手段４Ｃ及びクリーニング手段６Ｃを有する。
【００３１】
黒（Ｋ）色の画像を形成する画像形成部１０Ｋは、像担持体１Ｋ、帯電手段２Ｋ、露光手段３Ｋ、現像手段４Ｋ及びクリーニング手段６Ｋを有する。
【００３２】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００３３】
像担持体１Ｙ，１Ｍ，１Ｃ，１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣが用いられる。
【００３４】
帯電手段２Ｙ，２Ｍ，２Ｃ，２Ｋとしては、スコロトロン、コロトロン等のコロナ放電手段が用いられるが、スコロトロン放電手段が好ましく用いられる。
【００３５】
露光手段３Ｙ，３Ｍ，３Ｃ，３Ｋとしては、レーザ、ＬＥＤアレイ等、画像データに従って発光する発光素子が用いられる。
【００３６】
ベルト状の中間転写体７は、半導電性であり、複数の支持ローラ７１，７２，７３，７４、及びバックアップローラ７５により巻回され、循環移動可能に支持される。本実施の形態では、中間転写体７は、支持ローラ７３，７４の間が平面状に支持されている。
【００３７】
画像形成部１０Ｙ，１０Ｍ，１０Ｃ，１０Ｋより形成された各色の画像は、回動する中間転写体７上に一次転写手段５Ｙ，５Ｍ，５Ｃ，５Ｋにより逐次転写されて（一次転写）、合成されたカラー画像が形成される。
【００３８】
給紙装置２０の給紙カセット２１内に収容された転写材Ｐは、給紙手段（第１給紙部）２２により給紙され、給紙ローラ２３，２４，２５、レジストローラ（第２給紙部）２６等を経て、二次転写手段８に搬送され、転写材Ｐ上にカラー画像が転写される（二次転写）。
【００３９】
カラー画像が転写された転写材Ｐは、定着装置１１により熱と圧力とを加えられ、転写材Ｐ上のカラートナー画像（或いは単色トナー画像）が定着されて転写材Ｐ上に固定され、排紙ローラ２７から排出され、機外の排紙トレイ２８上に載置される。
【００４０】
一方、二次転写手段８により転写材Ｐにカラー画像を転写した後、転写材Ｐを曲率分離した中間転写体７は、クリーニング手段６Ａにより残留トナーが除去される。
【００４１】
［一次転写手段］
図２は該カラー画像形成装置Ａの要部を示す断面図である。
【００４２】
イエロー色の画像を転写する一次転写手段５Ｙは、一次転写ローラ５ＹＡと、一次転写ローラ５ＹＡに電圧を印加する電源５ＹＥとから構成されている。一次転写ローラ５ＹＡは、中間転写体７を介して像担持体１Ｙに対向し、中間転写体７の内面に摺接する。電源５ＹＥは接地されている。
【００４３】
マゼンタ色の画像を転写する一次転写手段５Ｍは、一次転写ローラ５ＭＡと、一次転写ローラ５ＭＡに電圧を印加する電源５ＭＥとから構成されている。一次転写ローラ５ＭＡは、中間転写体７を介して像担持体１Ｍに対向し、中間転写体７の内面に摺接する。電源５ＭＥは接地されている。
【００４４】
シアン色の画像を転写する一次転写手段５Ｃは、一次転写ローラ５ＣＡと、一次転写ローラ５ＣＡに電圧を印加する電源５ＣＥとから構成されている。一次転写ローラ５ＣＡは、中間転写体７を介して像担持体１Ｃに対向し、中間転写体７の内面に摺接する。電源５ＣＥは接地されている。
【００４５】
黒色画像を転写する一次転写手段５Ｋは、一次転写ローラ５ＫＡと、一次転写ローラ５ＫＡに電圧を印加する電源５ＫＥとから構成されている。一次転写ローラ５ＫＡは、中間転写体７を介して像担持体１Ｋに対向し、中間転写体７の内面に摺接する。電源５ＫＥは接地されている。
【００４６】
一次転写手段５Ｙ，５Ｍ，５Ｃ，５Ｋの各電源５ＹＥ，５ＭＥ，５ＣＥ，５ＫＥには、電流値４０μＡ、電圧値＋１．５ｋＶが印加される。
【００４７】
また、一次転写手段５Ｙ，５Ｍ，５Ｃ，５Ｋは、一次転写時以外の場合には、図示しない駆動手段により移動され、中間転写体７の内面から離間して退避する。
【００４８】
［二次転写手段８］
二次転写手段８は、バックアップローラ７５、二次転写ローラ８Ａ、電源８Ｅ等から構成されている。導電性材料から成るバックアップローラ７５は、中間転写体７を介して二次転写ローラ８Ａに対向し、中間転写体７の内面に摺接する。
【００４９】
バックアップローラ７５は電圧を印加する電源８Ｅに接続されている。二次転写手段８の電源８Ｅには、電流値５０μＡ、電圧値＋３ｋＶが印加される。電源８Ｅは中間転写体７に当接する二次転写ローラ８Ａに付着した残留トナーを逆バイアス印加により中間転写体７に転移させてクリーニングする。
【００５０】
二次転写ローラ８Ａのバックアップローラ７５は、一次転写ローラ５ＹＡ，５ＭＡ，５ＣＡ，５ＫＡとほぼ同じ構成をなし、中間転写体７の内面側に圧接する。導電性のバックアップローラ７５は、ローラ本体と、ローラ本体の表面に形成された弾性層とにより形成されている。
【００５１】
中間転写体７は、ポリアミドあるいはポリイミド等を材料とする単層又は多層ベルトで、体積抵抗率１０7〜１０12Ωｃｍのものが用いられている。
【００５２】
中間転写体７は、二次転写手段８により転写材Ｐに二次転写した後、クリーニング手段６Ａを通過してクリーニングされる。
【００５３】
二次転写ローラ８Ａは、二次転写時以外の場合には、図示しない駆動手段により移動され、中間転写体７の表面から離間して退避する。
【００５４】
［二次転写前除電手段９］
中間転写方式のカラー画像形成装置において、一次色では一次転写性能が良好である場合であっても、二次色では二次転写不良になって、高画質の画像が得られないという問題がある。これは中間転写体７上に形成されるトナー像が１層から最大で４層までの広範囲の付着量を有しており、それぞれの付着量に応じて二次転写条件の適正化がくずれてしまう事による。
【００５５】
この問題を解決するために、中間転写体７に沿った一次転写手段５Ｋと支持ローラ７４との間で、中間転写体７が平面状に支持される位置に、本発明に係る二次転写前除電手段９が配設されている。
【００５６】
更に、導電性ブラシや導電性発泡部材等の対向電極９Ｂを中間転写体７に面接触させて接地を行う事によって従来以上の除電効率の向上が達成される。
【００５７】
本発明の二次転写前除電手段９は、中間転写体７の画像担持側に配置された除電器９Ａと、無端ベルト状の中間転写体７の内面側に配置された対向電極９Ｂと、から構成されている。
【００５８】
図３は二次転写前除電手段９の断面図である。
【００５９】
中間転写体７の回動方向上流側に配置された除電器９Ａは、放電電極（放電ワイヤ）９１Ａ１，９１Ａ２、グリッド電極９２、サイドプレート９３から成るスコロトロン帯電器である。
【００６０】
放電電極９１Ａ１は電源Ｅ１に接続されている。放電電極９１Ａ２は電源Ｅ２に接続されている。グリッド電極９２は中間転写体７のベルト面と間隔をもって対向配置され、電源Ｅ３に接続されている。サイドプレート９３は電源Ｅ４に接続されている。
【００６１】
放電電極９１Ａ１，９１Ａ２には、トナー像と逆極性の放電がなされる電圧が印加される。グリッド電極９２にはトナー像と同極性の電圧が印加される。サイドプレート９３には、トナー像と逆極性の放電がなされる電圧が印加される。
【００６２】
二次転写前除電手段９に対向する中間転写体７の内面側には、導電性ブラシ及び導電性ブラシを圧着解除する圧着解除機構で構成される対向電極９Ｂが配設されている。導電性ブラシは、中間転写体７の内面側に摺接し、接地されている。
【実施例】
【００６３】
以下、実施例をあげて本発明を具体的に説明するが、本発明はこれに限定されるものではない。
【００６４】
［画像形成条件］
画像形成装置：タンデム型フルカラー複写機（コニカミノルタ８０５０（登録商標）改造機）、連続複写速度はフルカラーモードでＡ４判用紙を毎分５１枚出力する。
【００６５】
図４は、フルカラー複写機改造機の要部を示す模式図である。
【００６６】
本実施例では、発明の効果を確認するために、図２に示した一次転写手段５Ｙ，５Ｍ，５Ｃ、及び二次転写手段８を配設し、黒色のトナー像を形成する４段目の画像形成部１０Ｋに配置された像担持体１Ｋ、帯電手段２Ｋ、現像手段４Ｋ及びクリーニング手段６Ｋを取り外して、そこに本発明に係る二次転写前除電手段９を設置したカラー画像形成装置Ａで画像を形成した。
【００６７】
像担持体１Ｙ，１Ｍ，１Ｃ：外径φ６０ｍｍ
転写材Ｐの搬送ライン速度：２２０ｍｍ／ｓｅｃ
現像剤：キャリアの平均粒径２０〜６０μｍ、重合トナーの平均粒径３〜７μｍ
帯電手段２Ｙ，２Ｍ，２Ｃ：帯電電圧Ｖ０は−７００Ｖ
露光手段３Ｙ，３Ｍ，３Ｃ：半導体レーザ（波長７８０ｎｍ）、露光時の像形成体表面電位は−５０Ｖ
現像手段４Ｙ，４Ｍ，４Ｃ：現像スリーブの電位Ｖｄｃは−５００Ｖ、現像バイアス電圧交流成分Ｖａｃは１ｋＶｐ−ｐの矩形波（周波数５ｋＨｚ）
一次転写ローラ５ＹＡ，５ＭＡ，５ＣＡ：導電性ローラ使用、ローラ押圧５０Ｎ（ニュートン）、転写電流４０μＡ、転写電圧＋１．５ｋＶを印加
二次転写手段８：中間転写体７をバックアップローラ７５と二次転写ローラ８Ａとで挟み込んだ構成であり、電気抵抗値はともに１×１０7Ω、温湿度とカウンターとでマトリックスを組んだ電流値テーブルから所定の電流値を選択して印加する。
【００６８】
押圧力Ｆ：５０Ｎ（ニュートン）、転写材搬送方向ニップ幅：３ｍｍ
二次転写ローラ８Ａの弾性層：半導電性ＮＢＲソリッドゴム（アクリロニトリル・ブタジエンゴム）、体積抵抗値４×１０7Ω、外径φ４０ｍｍ、
中間転写体７：ポリイミド樹脂、シームレス半導電性ベルト（体積抵抗率１０9Ωｃｍ）、張架テンション５０Ｎ、線速２２０ｍｍ／ｓｅｃ
［二次転写前除電手段９］
通常、像担持体に使用されるスコロトロン帯電器と同形状の除電器９Ａを設置した。
【００６９】
放電電極９１Ａ１，９１Ａ２は、直径が２０〜１５０μｍのタングステン、ステンレス鋼、金などの線材を用いることができるが、特に表面が金で形成されていることが好ましい。線材そのものを金で作製するか、あるいは、ステンレス鋼やタングステン等の基材の表面を金で被覆しても良い。金被膜の厚さは、オゾン等の放電生成物の除去効率や製造コスト、放電効率の観点から、平均膜厚で１μｍ〜５μｍが好ましい。
【００７０】
グリッド電極９２は、ワイヤ状のグリッドや、板金にエッチング等によってパターン形成された板状グリッドや、金メッキが施された板状グリッド等が採用される。
【００７１】
放電電極９１Ａ１には高圧の電源Ｅ１が、放電電極９１Ａ２には高圧の電源Ｅ２がそれぞれ接続され、０〜４００μＡの電流が印加される。グリッド電極９２には高圧の電源Ｅ３が接続し、０〜−３００Ｖの電圧が印加される。サイドプレート９３はグリッド電極９２と絶縁し、５０Ｖ〜３００Ｖの電圧が印加出来るようにした。また、除電器９Ａに対向する対向電極９Ｂはアースに接続した。
【００７２】
放電電極９１Ａ１にはトナー像と逆極性の放電がなされる電圧Ｅ１が、放電電極
，９１Ａ２にはトナー像と逆極性の放電がなされる電圧Ｅ２が、グリッド電極９２にはトナー像と同極性の電圧Ｅ３が印加できる構成となっている。
【００７３】
本実施の形態においては、放電電極９１Ａ１，９１Ａ２にはトナー像と逆極性の放電がなされる電圧が、グリッド電極９２にはトナー像と同極性の放電がなされる電圧が印加できる構成となっている。
【００７４】
本実施例では、負の電荷を有するトナー像に対して、二次転写前除電手段９の放電電極９１Ａ１，９１Ａ２に正の電圧を、グリッド電極９２に負の電圧を、サイドプレート９３に正の電圧を印加する。
【００７５】
グリッド電極９２と中間転写体７との距離は１ｍｍで平行するように設置した。
【００７６】
放電電極９１Ａ１，９１Ａ２の幅（中間転写体７の進行方向の長さ）は３０ｍｍ、長手方向の長さ（中間転写体７の進行方向と直交する長さ）は３２０ｍｍとした。
【００７７】
電源Ｅ１，Ｅ２による放電電極９１Ａ１，９１Ａ２への電流値は３５０μＡ、放電電極９１Ａ１，９１Ａ２とグリッド電極９２との距離は８ｍｍ、放電電極９１Ａ１，９１Ａ２とサイドプレート９３との距離は８ｍｍとした。グリッド電極９２の開口率は９０％、対向電極９Ｂの電位は０Ｖである。
【００７８】
除電器９Ａに対向する中間転写体７の内面側には、導電性ブラシ及び導電性ブラシを圧着解除する圧着解除機構で構成される対向電極９Ｂが配設されている。
【００７９】
導電性ブラシは、素材はアクリル、ナイロン、ポリエステル等の導電性樹脂素材で構成され、線径はＩＳＯにより提唱された番手法による計量単位で０．１１１テックス乃至０．７７８テックス、ブラシ密度は１２０００本／ｃｍ2乃至７７０００本／ｃｍ2、原糸抵抗値は１０0乃至１０5Ωｃｍで構成されることが好ましい。
【００８０】
導電性ブラシは、原糸の抵抗値が１０2Ω、線径が３デニール（１デニールは、長さ４５６０ｍで質量５０ｍｇのときの繊度）、密度が２００ｋＦ／インチ2（Ｆはフィラメント数、１インチは２５．４ｍｍ）、毛長が３ｍｍである。
【００８１】
対向電極９Ｂの導電性ブラシの幅（中間転写体７の進行方向の長さ）は３０ｍｍ、長手方向の長さ（中間転写体７の進行方向と直交する長さ）は３２０ｍｍとした。
【００８２】
［実施例及び比較例］
本発明の二次転写前除電手段９の実施例１ではサイドプレート９３の電位（以下、サイドプレート電位と称す）Ｖｓを高電圧の正電位９５０Ｖに、実施例２ではサイドプレート電位Ｖｓを中電圧の正電位３００Ｖに、実施例３ではサイドプレート電位Ｖｓを低電圧の正電位５０Ｖに、それぞれ設定した。
【００８３】
比較例１ではサイドプレート電位Ｖｓを低電圧の負電位−５０Ｖに、比較例２ではサイドプレート電位Ｖｓを高電圧の負電位−５５０Ｖに、それぞれ設定した。
【００８４】
なお、上記の実施例及び比較例において、放電電極９１Ａ１，９１Ａ２への電流値は３５０μＡ、グリッド電位Ｖｇは−５０Ｖ、対向電極９Ｂの電位は０Ｖである。
【００８５】
従って、グリッド電極９２の電位（以下、グリッド電位と称す）Ｖｇの絶対値と、サイドプレート９３電位Ｖｓの絶対値とは、｜Ｖｇ｜≦｜Ｖｓ｜である。
【００８６】
発明の効果を確認する方法として、サイドプレート電位Ｖｓを変えて、二次転写前除電前後のトナー層電位と、低温低湿（ＬＬ）環境でのシアントナーとマゼンタトナーとの重ね合わせブルー色ベタ画像と、シアン色単層のハーフトーン画像の画質を確認した。
【００８７】
実施例１，２，３、比較例１，２，３の画質確認結果を表１に示す。
【００８８】
【表１】
0004471224.tif 000002
【００８９】
表１の実施例１，２，３、比較例１，２，３において、カラー画像形成装置Ａによるプリント開始時と５０００枚プリント後とで、ＬＬ環境下でのブルー画像の評価と、ハーフトーン画像荒れの評価とを実施した。
【００９０】
表１に示されるブルー画像項目の評価において、○印は、トナー層の電位は二次転写前除電手段９による除電によって１００Ｖまで低下していて、画像ムラがなく、均一な濃度のブルー画像が得られるものである。
【００９１】
表１に示されるハーフトーン画像荒れ項目の評価において、○印は、二次転写前除電手段９の除電によるハーフトーン画像のトナー層の電位は除電の影響を受けていないため、画像ムラがなく、均一な濃度のハーフトーン画像が得られる。
【００９２】
表１に示されハーフトーン画像荒れ項目の評価において、×印は、ハーフトーン画像部のトナー層も除電されている状態であるため、ガサツキ感、画像荒れがあり、画像濃度の均一性に欠けるものである。
【００９３】
サイドプレート電位Ｖｓが、トナー像の電位と逆極性の電圧を印加する構成とした本発明の実施例１，２，３では、ＬＬ環境下でのシアントナーとマゼンタトナーとの重ね合わせブルー色ベタ画像の画像ムラがなく、均一な濃度のブルー色画像が得られる。また、５０００枚プリント後にもグリッド電極９２へのトナー付着が殆どないため、シアン色単層のハーフトーン画像の画像ムラがなく、均一な濃度のハーフトーン画像が得られる。
【００９４】
比較例１，２では、ＬＬ環境下でのブルー色画像、及びスタート時のブルー色画像及びハーフトーン画像は良好であるが、５０００枚プリント後には、グリッド電極９２へのトナー付着が多く、ハーフトーン画像に荒れが発生する。
【００９５】
なお、本実施の形態では、中間転写体７として中間転写ベルトを用いた例について説明したが、本発明は、他の形状の中間転写体を用いるもの（例えば、中間転写ドラム）にも適用する事が出来る。
【図面の簡単な説明】
【００９６】
【図１】本発明の実施の形態に係るカラー画像形成装置の全体構成を示す断面図。
【図２】カラー画像形成装置の要部を示す断面図。
【図３】二次転写前除電手段の断面図。
【図４】フルカラー複写機改造機の要部を示す模式図。
【符号の説明】
【００９７】
１Ｙ，１Ｍ，１Ｃ，１Ｋ  像担持体
５Ｙ，５Ｍ，５Ｃ，５Ｋ  一次転写手段
７  中間転写体
８  二次転写手段
９  二次転写前除電手段
９Ａ  除電器
９Ｂ  対向電極
９１Ａ１，９１Ａ２  放電電極（放電ワイヤ）
９２  グリッド電極
９３  サイドプレート
Ａ  カラー画像形成装置
Ｅ１，Ｅ２，Ｅ３，Ｅ４  電源
Ｖｇ  グリッド電位
Ｖｓ  サイドプレート電位
【図１】
0004471224.tif 000003
【図２】
0004471224.tif 000004
【図３】
0004471224.tif 000005
【図４】
0004471224.tif 000006